(57)【要約】【課題】この発明は、表示映像の品質を低下させることのないように考慮し、しかも、ユーザにとっての取り扱いを便利にして実用化に好適するようにした立体視映像再生装置、立体視映像再生方法及び立体視映像再生システムを提供することを目的としている。【解決手段】立体視用眼鏡（１２）が装着されているとき立体視映像表示に対応する信号処理の施された映像信号を出力し、立体視用眼鏡（１２）が装着されていないとき、立体視映像表示に対応する信号処理の施された映像信号に代えて、２次元映像表示に対応する信号処理の施された映像信号を出力することと、立体視映像表示に対応する信号処理の施された映像信号の出力を停止することとの少なくとも一方を行なうようにしている。【選択図】    図３
2011097470.tif 000002
【特許請求の範囲】
【請求項１】
入力された立体視用の映像信号に立体視映像表示に対応する信号処理を施す第１の処理手段と、
入力された立体視用の映像信号を２次元表示用の映像信号に変換して２次元映像表示に対応する信号処理を施す第２の処理手段と、
立体視用眼鏡が装着された旨を示す検出信号を受信したとき前記第１の処理手段で信号処理の施された映像信号を出力し、前記立体視用眼鏡が装着されていない旨を示す検出信号を受信したとき、前記第１の処理手段で信号処理の施された映像信号に代えて、前記第２の処理手段で信号処理の施された映像信号を出力することと、前記第１の処理手段で信号処理の施された映像信号の出力を停止することとのいずれか一方を行なう制御手段とを具備することを特徴とする立体視映像再生装置。
【請求項２】
前記制御手段は、前記立体視用眼鏡が装着された旨を示す検出信号を受信したとき、予め記録された複数のコンテンツの中から所定のコンテンツを検索し、その検索されたコンテンツに含まれる立体視用の映像信号を前記第１の処理手段に入力して信号処理を施した映像信号を出力することを特徴とする請求項１記載の立体視映像再生装置。
【請求項３】
前記制御手段は、ネットワークを介して所定のコンテンツを検索することを特徴とする請求項２記載の立体視映像再生装置。
【請求項４】
前記第１の処理手段は、入力された立体視用の映像信号から相互に視差を有する第１の映像信号及び第２の映像信号を生成し、前記第１の映像信号と第２の映像信号との間に黒映像信号を挿入することを特徴とする請求項１記載の立体視映像再生装置。
【請求項５】
前記第２の処理手段は、入力された立体視用の映像信号を２次元表示用の映像信号に変換し、その２次元表示用の映像信号に倍速変換処理を施すことを特徴とする請求項１記載の立体視映像再生装置。
【請求項６】
入力された立体視用の映像信号に立体視映像表示に対応する信号処理を施す工程と、
入力された立体視用の映像信号を２次元表示用の映像信号に変換して２次元映像表示に対応する信号処理を施す工程と、
立体視用眼鏡が装着された旨を示す検出信号を受信したとき前記立体視映像表示に対応する信号処理の施された映像信号を出力する工程と、
前記立体視用眼鏡が装着されていない旨を示す検出信号を受信したとき、前記立体視映像表示に対応する信号処理の施された映像信号に代えて、前記２次元映像表示に対応する信号処理の施された映像信号を出力することと、前記立体視映像表示に対応する信号処理の施された映像信号の出力を停止することとの少なくとも一方を行なう工程とを有することを特徴とする立体視映像再生方法。
【請求項７】
前記立体視用眼鏡が装着された旨を示す検出信号を受信したとき、予め記録された複数のコンテンツの中から所定のコンテンツを検索する工程と、
検索されたコンテンツに含まれる立体視用の映像信号に前記立体視映像表示に対応する信号処理を施して出力する工程とを有することを特徴とする請求項６記載の立体視映像再生方法。
【請求項８】
装着されているか否かを検出するための着脱検出手段を備えた立体視用眼鏡と、
入力された立体視用の映像信号に立体視映像表示に対応する信号処理を施す第１の処理手段と、入力された立体視用の映像信号を２次元表示用の映像信号に変換して２次元映像表示に対応する信号処理を施す第２の処理手段と、前記着脱検出手段から前記立体視用眼鏡が装着された旨を示す検出信号を受信したとき前記第１の処理手段で信号処理の施された映像信号を出力し、前記立体視用眼鏡が装着されていない旨を示す検出信号を受信したとき、前記第１の処理手段で信号処理の施された映像信号に代えて、前記第２の処理手段で信号処理の施された映像信号を出力することと、前記第１の処理手段で信号処理の施された映像信号の出力を停止することとのいずれか一方を行なう制御手段とを備えた立体視映像再生機器とを具備することを特徴とする立体視映像再生システム。
【発明の詳細な説明】
【技術分野】
【０００１】
この発明は、例えば液晶表示パネル等に立体視映像の表示を行なうための立体視映像再生装置、立体視映像再生表示方法及び立体視映像再生システムを改良したものに関する。
【背景技術】
【０００２】
周知のように、従来より、平面的な映像表示画面を用いてユーザに立体感のある映像を認識させる技術の開発が進められている。この技術は、相互に人間の両目の間隔に対応した視差を有する２種類の映像を用意し、右目用映像をユーザの右目に視認させ、左目用映像をユーザの左目に視認させることにより立体視を行なうものである。
【０００３】
具体的には、右目用映像と左目用映像とを同一の映像表示画面に交互に表示させ、ユーザの装着した立体視用眼鏡に対して、右目用映像が表示されているとき左目のシャッタを閉じ、左目用映像が表示されているとき右目のシャッタを閉じるように制御することにより、ユーザに立体視映像を認識させる技術が存在している。
【０００４】
ところで、このような立体視映像の再生技術は、現在、実用化も視野に入る程度にまで高水準なレベルに到達してきている。このため、今後は、より現実的な立体視映像をユーザに認識させるための技術開発だけでなく、ユーザにとっての取り扱いを便利にして実用化を促進させるための開発を行なうことが重要な課題となっている。
【０００５】
特許文献１には、３次元映像視聴用の眼鏡を装着しているか否かを判断し、その眼鏡を装着していると判断された場合には、３次元用の左右の映像を交互にモニタに表示させ、その眼鏡を装着していないと判断された場合には、２次元の映像をモニタに表示させるようにした構成が開示されている。
【先行技術文献】
【特許文献】
【０００６】
【特許文献１】特開２０００−００４４５３号公報
【発明の概要】
【発明が解決しようとする課題】
【０００７】
そこで、この発明は上記事情を考慮してなされたもので、表示映像の品質を低下させることのないように考慮し、しかも、ユーザにとっての取り扱いを便利にして実用化に好適するようにした立体視映像再生装置、立体視映像再生方法及び立体視映像再生システムを提供することを目的とする。
【課題を解決するための手段】
【０００８】
この発明に係る立体視映像再生装置は、入力された立体視用の映像信号に立体視映像表示に対応する信号処理を施す第１の処理手段と；入力された立体視用の映像信号を２次元表示用の映像信号に変換して２次元映像表示に対応する信号処理を施す第２の処理手段と；立体視用眼鏡が装着された旨を示す検出信号を受信したとき第１の処理手段で信号処理の施された映像信号を出力し、立体視用眼鏡が装着されていない旨を示す検出信号を受信したとき、第１の処理手段で信号処理の施された映像信号に代えて、第２の処理手段で信号処理の施された映像信号を出力することと、第１の処理手段で信号処理の施された映像信号の出力を停止することとのいずれか一方を行なう制御手段とを備えるようにしたものである。
【０００９】
また、この発明に係る立体視映像再生方法は、入力された立体視用の映像信号に立体視映像表示に対応する信号処理を施す工程と；入力された立体視用の映像信号を２次元表示用の映像信号に変換して２次元映像表示に対応する信号処理を施す工程と；立体視用眼鏡が装着された旨を示す検出信号を受信したとき立体視映像表示に対応する信号処理の施された映像信号を出力する工程と；立体視用眼鏡が装着されていない旨を示す検出信号を受信したとき、立体視映像表示に対応する信号処理の施された映像信号に代えて、２次元映像表示に対応する信号処理の施された映像信号を出力することと、立体視映像表示に対応する信号処理の施された映像信号の出力を停止することとの少なくとも一方を行なう工程とを有するようにしたものである。
【００１０】
さらに、この発明に係る立体視映像再生システムは、装着されているか否かを検出するための着脱検出手段を備えた立体視用眼鏡と；入力された立体視用の映像信号に立体視映像表示に対応する信号処理を施す第１の処理手段と、入力された立体視用の映像信号を２次元表示用の映像信号に変換して２次元映像表示に対応する信号処理を施す第２の処理手段と、着脱検出手段から立体視用眼鏡が装着された旨を示す検出信号を受信したとき第１の処理手段で信号処理の施された映像信号を出力し、立体視用眼鏡が装着されていない旨を示す検出信号を受信したとき、第１の処理手段で信号処理の施された映像信号に代えて、第２の処理手段で信号処理の施された映像信号を出力することと、第１の処理手段で信号処理の施された映像信号の出力を停止することとのいずれか一方を行なう制御手段とを備えた立体視映像再生機器とを具備するようにしたものである。
【発明の効果】
【００１１】
上記した発明によれば、立体視用眼鏡が装着されているとき立体視映像表示に対応する信号処理の施された映像信号を出力し、立体視用眼鏡が装着されていないとき、立体視映像表示に対応する信号処理の施された映像信号に代えて、２次元映像表示に対応する信号処理の施された映像信号を出力することと、立体視映像表示に対応する信号処理の施された映像信号の出力を停止することとの少なくとも一方を行なうようにしたので、表示映像の品質を低下させることがなく、しかも、ユーザにとっての取り扱いを便利にして実用化に好適するものとなる。
【図面の簡単な説明】
【００１２】
【図１】この発明の実施の形態を示すもので、立体視映像再生システムを概略的に説明するために示すブロック構成図。
【図２】同実施の形態における立体視映像再生システムを構成するデジタルテレビジョン放送受信装置の信号処理系を説明するために示すブロック構成図。
【図３】同実施の形態におけるデジタルテレビジョン放送受信装置の映像出力部の一例を説明するために示すブロック構成図。
【図４】同実施の形態における映像出力部での立体視用の映像信号の具体的な処理動作を説明するために示す図。
【図５】同実施の形態における映像出力部が行なう主要な処理動作の一例を説明するために示すフローチャート。
【図６】同実施の形態における映像出力部が行なう主要な処理動作の他の例を説明するために示すフローチャート。
【図７】同実施の形態における映像出力部が行なう主要な処理動作のさらに他の例を説明するために示すフローチャート。
【発明を実施するための最良の形態】
【００１３】
以下、この発明の実施の形態について図面を参照して詳細に説明する。図１は、この実施の形態で説明する立体視映像再生システムの概略を示している。この立体視映像再生システムは、立体視映像再生機器としてのデジタルテレビジョン放送受信装置１１と、このデジタルテレビジョン放送受信装置１１の表示映像から立体視映像を認識するための立体視用眼鏡１２とを備えている。
【００１４】
このうち、デジタルテレビジョン放送受信装置１１は、薄型のキャビネット１３と、このキャビネット１３を支持する支持台１４とから構成されている。そして、上記キャビネット１３には、その正面中央部に映像表示部としての液晶表示パネル１５が配置されている。また、このキャビネット１３には、その両側面にそれぞれスピーカ１６，１６が配置されて、ステレオ音声再生が行なえるようになっている。
【００１５】
さらに、このキャビネット１３には、その正面下部に、主電源スイッチ１７ａを含む操作部１７と、リモートコントローラ１８から送信される操作情報を受信するための受光部１９とが配置されている。なお、上記支持台１４は、キャビネット１３の底面中央部に回動自在に連結されるもので、所定の基台２０の水平面上に載置された状態で、キャビネット１３を起立させて支持するように構成されている。
【００１６】
ここで、上記デジタルテレビジョン放送受信装置１１は、立体視用として放送される映像信号を受信した場合、その受信した映像信号に基づいて右目用映像信号と左目用映像信号とをそれぞれ生成して、液晶表示パネル１５に右目用映像と左目用映像とを交互に映像表示する。
【００１７】
また、このデジタルテレビジョン放送受信装置１１は、右目用映像を映像表示している期間と、左目用映像を映像表示している期間とをそれぞれ示すシャッタ制御信号ＳＣを生成し、上記立体視用眼鏡１２に出力している。
【００１８】
そして、上記立体視用眼鏡１２は、デジタルテレビジョン放送受信装置１１から供給されるシャッタ制御信号ＳＣに基づいて、右目用映像の表示時に左目のシャッタを閉じ、左目用映像の表示時に右目のシャッタを閉じるように制御され、これにより、ユーザに立体視映像を認識させている。
【００１９】
また、上記立体視用眼鏡１２は、ユーザが装着しているか否か、つまり、ユーザが眼鏡を掛けているか外しているかを検出するための着脱検出部２１を備えている。そして、この着脱検出部２１から出力される着脱検出信号ＣＤは、デジタルテレビジョン放送受信装置１１に供給されている。
【００２０】
このデジタルテレビジョン放送受信装置１１は、ユーザが立体視用眼鏡１２を装着している旨を示す着脱検出信号ＣＤが供給されたとき、液晶表示パネル１５に右目用映像と左目用映像とを交互に映像表示して立体視映像表示を実行する。
【００２１】
また、このデジタルテレビジョン放送受信装置１１は、ユーザが立体視用眼鏡１２を装着していない旨を示す着脱検出信号ＣＤが供給されたとき、受信した立体視用の映像信号を通常の２次元表示用の映像信号に変換し、その２次元表示用の映像信号を液晶表示パネル１５に映像表示させるように動作する。
【００２２】
図２は、上記デジタルテレビジョン放送受信装置１１の信号処理系を概略的に示している。すなわち、アンテナ２２で受信したデジタルテレビジョン放送信号は、入力端子２３を介して選局復調部２４に供給される。この選局復調部２４は、入力されたデジタルテレビジョン放送信号から所望のチャンネルの信号を選局し、その選局した放送信号に復調処理を施してＴＳ（transport stream）を生成している。
【００２３】
そして、この選局復調部２４から出力されたＴＳは、ＴＳ分離部２５に供給されて映像成分と音声成分とに分離される。このうち、映像成分は、映像デコーダ２６によりデコード処理が施されて元のデジタルの映像信号に復元された後、映像フレームバッファ２７に格納される。この映像フレームバッファ２７に格納された映像信号は、フレーム単位で映像出力部２８に読み出され、後述する所定の信号処理が施された後、上記液晶表示パネル１５に供給されて映像表示に供される。
【００２４】
また、上記ＴＳ分離部２５で分離された音声成分は、音声バッファ２９に一旦格納された後、音声出力部３０に読み出されて所定の信号処理が施される。そして、この音声出力部３０から出力された音声成分は、音声デコーダ３１によりデコード処理が施されて元のデジタルの音声データに復元された後、アナログ化されて上記スピーカ１６により音声再生に供される。
【００２５】
なお、このデジタルテレビジョン放送受信装置１１は、入力端子３２を備えている。この入力端子３２には、例えばＤＶＤ（digital versatile disk）等の光ディスクに対して記録再生を行なう光ディスク記録再生機器や外付けＨＤＤ（hard disk drive）等のような、外部の記録再生機器から出力されるＴＳが供給されるようになっている。この入力端子３２に入力されたＴＳは、上記ＴＳ分離部２５に供給される。そして、ＴＳ分離部２５は、選局復調部２４から供給されるＴＳと入力端子３２から供給されるＴＳとのいずれか一方を選択して、映像成分と音声成分とに分離するように動作する。
【００２６】
ここで、このデジタルテレビジョン放送受信装置１１は、上記した各種の受信動作を含む種々の動作を制御部３３によって統括的に制御されている。この制御部３３は、ＣＰＵ（central processing unit）３３ａを内蔵しており、上記操作部１７からの操作情報、または、上記リモートコントローラ１８から送信され受光部１９で受信された操作情報を受けることによって、その操作内容が反映されるように各部をそれぞれ制御している。
【００２７】
この場合、制御部３３は、メモリ部３３ｂを利用している。このメモリ部３３ｂは、主として、ＣＰＵ３３ａが実行する制御プログラムを格納したＲＯＭ（read only memory）と、該ＣＰＵ３３ａに作業エリアを提供するためのＲＡＭ（random access memory）と、各種の設定情報及び制御情報等が格納される不揮発性メモリとを有している。
【００２８】
また、上記制御部３３は、内蔵型のＨＤＤ３４に接続されている。この制御部３３は、ユーザによる操作に基づいて、上記映像デコーダ２６や音声デコーダ３１から得られるデジタルの映像信号や音声信号等に、暗号化処理や所定の記録フォーマットへの変換処理を施した後、ＨＤＤ３４に供給してハードディスク３４ａに記録させることができる。
【００２９】
また、この制御部３３は、ユーザによる操作に基づいて、ＨＤＤ３４によりハードディスク３４ａから所望の映像信号や音声信号等を読み出させ、暗号の解読処理を施した後、映像フレームバッファ２７や音声デコーダ３１に供給することにより、映像表示や音声再生に供させることができる。
【００３０】
さらに、上記制御部３３は、ネットワークインターフェース３５及び入出力端子３６を介して、例えばインターネット等のネットワークに接続されている。これにより、制御部３３は、ユーザによる操作に基づいて、ネットワーク上のサーバにアクセスして所望の映像信号や音声信号等を取得し、映像表示や音声再生に供させたり、ＨＤＤ３４によりハードディスク３４ａに記録させたりすることができる。
【００３１】
ここで、上記映像出力部２８は、映像フレームバッファ２７からフレーム単位で供給された映像信号が通常の２次元表示用の映像信号である場合には、その映像信号に対して液晶表示パネル１５で表示可能なフレーム倍速変換処理を施した後、液晶表示パネル１５に供給して映像表示させる。
【００３２】
上記映像出力部２８は、映像フレームバッファ２７からフレーム単位で供給された映像信号が立体視用の映像信号である場合には、その映像信号から右目用映像信号と左目用映像信号とをそれぞれ生成し、それらの映像信号を交互に液晶表示パネル１５に出力して映像表示に供させる。
【００３３】
また、このとき、映像出力部２８は、右目用映像を映像表示している期間と、左目用映像を映像表示している期間とをそれぞれ示すシャッタ制御信号ＳＣを生成し、出力端子３７を介して上記立体視用眼鏡１２に出力している。
【００３４】
このため、上記立体視用眼鏡１２は、デジタルテレビジョン放送受信装置１１から供給されるシャッタ制御信号ＳＣに基づいて、右目用映像の表示時に左目のシャッタを閉じ、左目用映像の表示時に右目のシャッタを閉じるように制御され、これにより、ユーザに立体視映像が認識されることになる。
【００３５】
なお、上記映像フレームバッファ２７からフレーム単位で供給される映像信号が、通常の２次元表示用の映像信号であるか、立体使用の映像信号であるかの判断は、例えば、制御部３３が、映像表示の対象となる映像信号に付された属性情報を検知することにより、容易に行なうことができる。
【００３６】
また、上記立体視用眼鏡１２は、先に述べたように、ユーザが装着しているか否かを検出するための着脱検出部２１を備えている。この着脱検出部２１としては、例えば、圧力の有無によってユーザが装着しているか否かを検出するもの、発光した赤外線が液晶表示パネル１５面で反射されて受光されたか否かによってユーザが装着しているか否かを検出するもの、傾きによってユーザが装着しているか否かを検出するもの等々、種々の手法によるものが考えられる。
【００３７】
そして、この着脱検出部２１は、無線により着脱検出信号ＣＤを送信しており、送信された着脱検出信号ＣＤは映像出力部２８に受信されている。この映像出力部２８は、映像フレームバッファ２７から供給された映像信号が立体視用の映像信号であって、ユーザが立体視用眼鏡１２を装着している旨を示す着脱検出信号ＣＤが供給されているときには、その映像信号から右目用映像信号と左目用映像信号とをそれぞれ生成し、それらの映像信号を交互に液晶表示パネル１５に映像表示させて立体視映像表示を実行する。
【００３８】
また、この映像出力部２８は、ユーザが立体視用眼鏡１２を装着していない旨を示す着脱検出信号ＣＤが供給されたとき、受信した立体視用の映像信号を通常の２次元表示用の映像信号に変換し、その２次元表示用の映像信号に対して液晶表示パネル１５で表示可能なフレーム倍速変換処理を施した後、液晶表示パネル１５に供給して映像表示させる。
【００３９】
図３は、上記映像出力部２８の一例を示している。すなわち、上記映像フレームバッファ２７から供給された映像信号は、入力端子３８を介して、３次元２次元変換部３９及び左右映像分離部４０にそれぞれ供給されている。
【００４０】
このうち、３次元２次元変換部３９は、通常の２次元表示用の映像信号が入力されたとき、その映像信号をそのまま後段の倍速変換部４１に出力する。また、この３次元２次元変換部３９は、立体視用の映像信号が入力されたとき、その映像信号を２次元表示用の映像信号に変換して倍速変換部４１に出力する。そして、この倍速変換部４１は、入力された２次元表示用の映像信号に対して、例えばフレーム間の動きベクトルを利用した補間フレームを作成する等の手法により、液晶表示パネル１５で表示可能なフレーム倍速変換処理を施し、セレクタ４２の一方の入力端に出力している。
【００４１】
また、上記左右映像分離部４０は、立体視用の映像信号が入力されたとき、その映像信号を右目用映像信号と左目用映像信号とに分離し、それらの映像信号を倍速で交互に左右クロストーク防止部４３に出力する。この左右クロストーク防止部４３は、交互に入力される右目用映像信号と左目用映像信号との間に黒映像信号を挿入して、右目用映像と左目用映像との切り替わり時の干渉（クロストーク）を防止する処理を施した後、セレクタ４２の他方の入力端に出力している。
【００４２】
具体的に言えば、今、図４（ａ）に示すような、右目用映像信号（Ｒ）と左目用映像信号（Ｌ）とが合成された立体視用の映像信号（Ｒ／Ｌ）が、フレーム周波数６０Ｈｚで入力端子３８に供給されるとする。
【００４３】
すると、左右映像分離部４０は、図４（ｂ）に示すように、入力された立体視用の映像信号（Ｒ／Ｌ）を右目用映像信号（Ｒ）と左目用映像信号（Ｌ）とに分離し、フレーム周波数を倍速（この場合、１２０Ｈｚ）にして左右クロストーク防止部４３に出力する。この左右クロストーク防止部４３は、図４（ｃ）に示すように、入力された右目用映像信号（Ｒ）と左目用映像信号（Ｌ）との間に黒映像信号を挿入し、フレーム周波数をさらに倍速（この場合、２４０Ｈｚ）にして、セレクタ４２の他方の入力端に出力している。
【００４４】
また、上記３次元２次元変換部３９は、図４（ａ）に示した立体視用の映像信号（Ｒ／Ｌ）を、図４（ｄ）に示すような、同じフレーム周波数（この場合、６０Ｈｚ）を有する２次元表示用の映像信号に変換して倍速変換部４１に出力する。すると、この倍速変換部４１は、図４（ｅ）に示すように、入力された２次元表示用の映像信号に対して、フレーム補間等によりフレーム周波数を４倍（つまり、２４０Ｈｚ）に変換する処理を施して、セレクタ４２の一方の入力端に出力している。
【００４５】
そして、上記セレクタ４２は、倍速変換部４１及び左右クロストーク防止部４３からそれぞれ供給される映像信号を、後述する選択信号生成部４４から出力される選択信号に基づいて選択し、その選択した映像信号を映像出力処理部４５に出力している。この映像出力処理部４５は、入力された映像信号に対して上記液晶表示パネル１５での映像表示に供させるための所定の信号処理を施し、出力端子４６を介して液晶表示パネル１５に出力している。
【００４６】
また、上記映像出力処理部４５は、入力された映像信号が立体視用の映像信号である場合に、右目用映像を映像表示している期間と、左目用映像を映像表示している期間とをそれぞれ示すシャッタ制御信号ＳＣを生成し、出力端子４７を介して上記立体視用眼鏡１２に出力している。
【００４７】
このため、上記立体視用眼鏡１２は、映像出力処理部４５から供給されるシャッタ制御信号ＳＣに基づいて、右目用映像の表示時に左目のシャッタを閉じ、左目用映像の表示時に右目のシャッタを閉じるように制御され、これにより、ユーザに立体視映像が認識されることになる。
【００４８】
また、この立体視用眼鏡１２が備えられた着脱検出部２１から無線により出力される着脱検出信号ＣＤは、映像出力部２８内の受信部４８に受信される。この受信部４８に受信された着脱検出信号ＣＤは、解析部４９に供給されて、ユーザが立体視用眼鏡１２を装着しているか否かを判断される。
【００４９】
そして、この解析部４９は、ユーザが立体視用眼鏡１２を装着していると判断した場合には、上記選択信号生成部４４に対して、左右クロストーク防止部４３から出力される映像信号を映像信号処理部４５に導くようにセレクタ４２を切り替える選択信号を発生させる。また、この解析部４９は、ユーザが立体視用眼鏡１２を装着していないと判断した場合には、上記選択信号生成部４４に対して、倍速変換部４１から出力される映像信号を映像信号処理部４５に導くようにセレクタ４２を切り替える選択信号を発生させる。
【００５０】
上記した映像出力部２８によれば、立体視用の映像信号を液晶表示パネル１５での映像表示に供させている状態で、ユーザが立体視用眼鏡１２を外すと、自動的に立体視用の映像信号を２次元表示用に変換した映像信号が液晶表示パネル１５での映像表示に供されるようになる。また、ユーザが立体視用眼鏡１２を装着すると、自動的に立体視用の映像信号が液晶表示パネル１５での映像表示に供され、ユーザが立体視映像を認識することができるようになる。
【００５１】
すなわち、ユーザが立体視用眼鏡１２を装着している場合には、立体視用の映像信号による映像表示が行なわれ、ユーザが立体視用眼鏡１２を装着していない場合には、２次元表示用の映像信号による映像表示が行なわれるように、自動的に切り替えられるようになる。このため、ユーザにとっての取り扱いを便利にすることができ、実用化に好適するものとなる。
【００５２】
また、立体視用の映像信号を液晶表示パネル１５での映像表示に供する場合には、立体視用の映像信号から分離した右目用映像信号と左目用映像信号との間に黒映像信号を挿入して、右目用映像と左目用映像との切り替わり時のクロストークを防止するという、立体視用の映像信号に特有の信号処理を施して、立体視表示映像の品質を高めるようにしている。
【００５３】
さらに、２次元表示用に変換した映像信号を液晶表示パネル１５での映像表示に供する場合には、その２次元表示用の映像信号に対して液晶表示パネル１５で表示可能なフレーム倍速変換処理を施しているので、液晶表示パネル１５の持つ性能を十分に発揮させることができるようになって、２次元表示用の映像信号に対しても表示映像の品質を高めることができる。
【００５４】
すなわち、立体視用の映像信号による映像表示を行なう場合であっても、２次元表示用の映像信号による映像表示を行なう場合であっても、表示映像の品質を低下させることのないように考慮されていることになり、このような点でも、実用化を促進させることに十分に寄与するものとなる。
【００５５】
図５は、上記した映像出力部２８の主要な処理動作をまとめたフローチャートを示している。すなわち、処理が開始（ステップＳ５ａ）されると、映像出力部２８は、ステップＳ５ｂで、上記映像フレームバッファ２７から供給される映像信号が、立体使用の映像信号であるか否かの判断結果を制御部３３から取得し、立体使用の映像信号であると判断された場合（ＹＥＳ）、ステップＳ５ｃで、ユーザが立体視用眼鏡１２を装着しているか否かを判断する。
【００５６】
そして、ユーザが立体視用眼鏡１２を装着していると判断された場合（ＹＥＳ）、映像出力部２８は、ステップＳ５ｄで、左右クロストーク防止部４３から出力される映像信号が映像出力処理部４５に供給されるようにセレクタ４２を切り替えることにより、ステップＳ５ｅで、クロストーク防止処理の施された立体視用の映像信号を液晶表示パネル１５での映像表示に供させて、ステップＳ５ｂの処理に戻される。
【００５７】
また、上記ステップＳ５ｃでユーザが立体視用眼鏡１２を装着していないと判断された場合（ＮＯ）、映像出力部２８は、ステップＳ５ｆで、倍速変換部４１から出力される映像信号が映像出力処理部４５に供給されるようにセレクタ４２を切り替えることにより、ステップＳ５ｇで、倍速変換処理の施された２次元表示用の映像信号を液晶表示パネル１５での映像表示に供させて、ステップＳ５ｂの処理に戻される。
【００５８】
なお、上記した映像出力部２８では、立体視用の映像信号に対して右目用映像信号と左目用映像信号との間に黒映像信号を挿入するクロストーク防止処理を施すことを例に説明したが、立体視用の映像信号に施す信号処理としては、これに限らず、例えば、液晶表示パネル１５のバックライトの輝度を表示エリア毎に制御して立体視表示効果を高める等、立体視用の映像信号に対してその表示映像の品質を高めることができる種々の処理を適用することが可能である。
【００５９】
また、上記した映像出力部２８では、倍速変換部４１から出力される映像信号と、左右クロストーク防止部４３から出力される映像信号とを、ユーザによる立体視用眼鏡１２の着脱に応じてセレクタ４２で選択するようにしたが、これに加えて、例えば、ユーザが立体視用眼鏡１２を装着しているときには、３次元２次元変換部３９及び倍速変換部４１の動作を停止させ、ユーザが立体視用眼鏡１２を装着していないときには、左右映像分離部４０及び左右クロストーク防止部４３の動作を停止させるようにすれば、無駄な処理が行なわれなくなり省電力化を促進させることができる。
【００６０】
図６は、上記した映像出力部２８の主要な処理動作の他の例をまとめたフローチャートを示している。すなわち、処理が開始（ステップＳ６ａ）されると、映像出力部２８は、ステップＳ６ｂで、上記映像フレームバッファ２７から供給される映像信号が、立体使用の映像信号であるか否かの判断結果を制御部３３から取得し、立体使用の映像信号であると判断された場合（ＹＥＳ）、ステップＳ６ｃで、ユーザが立体視用眼鏡１２を装着しているか否かを判断する。
【００６１】
そして、ユーザが立体視用眼鏡１２を装着していると判断された場合（ＹＥＳ）、映像出力部２８は、ステップＳ６ｄで、左右クロストーク防止部４３から出力される映像信号が映像出力処理部４５に供給されるようにセレクタ４２を切り替えることにより、ステップＳ６ｅで、クロストーク防止処理の施された立体視用の映像信号を液晶表示パネル１５での映像表示に供させて、ステップＳ６ｂの処理に戻される。
【００６２】
また、上記ステップＳ６ｃでユーザが立体視用眼鏡１２を装着していないと判断された場合（ＮＯ）、映像出力部２８は、ステップＳ６ｆで、セレクタ４２からの映像信号の出力を停止させ、映像信号が液晶表示パネル１５に供給されないようにすることにより、ステップＳ６ｇで、液晶表示パネル１５による映像表示を停止させて、ステップＳ６ｂの処理に戻される。
【００６３】
図６に示す処理動作は、ユーザが立体視用眼鏡１２を装着していない場合に、図５に示したように２次元表示用の映像を表示させることに代えて、液晶表示パネル１５による映像の表示を停止させてしまう点が異なっている。このような処理動作によれば、ユーザが立体視用眼鏡１２を外すだけで立体視映像表示が停止され、再びユーザが立体視用眼鏡１２を装着すれば立体視映像表示が再開されるので、ユーザの操作を非常に便利にすることができる。
【００６４】
なお、ユーザが立体視用眼鏡１２を装着していない場合に、２次元表示用の映像を表示させるようにするか、映像表示を停止させるようにするかは、ユーザの操作によって設定可能とすることができる。
【００６５】
図７は、上記した映像出力部２８の主要な処理動作のさらに他の例をまとめたフローチャートを示している。すなわち、処理が開始（ステップＳ７ａ）されると、映像出力部２８は、ステップＳ７ｂで、ユーザが立体視用眼鏡１２を装着しているか否かを判断する。そして、ユーザが立体視用眼鏡１２を装着していると判断された場合（ＹＥＳ）、映像出力部２８は、ステップＳ７ｃで、上記した内蔵型のＨＤＤ３４のハードディスク３４ａに記録されている各種のコンテンツの中から、再生可能な立体視用の映像信号を有するコンテンツを検索する。
【００６６】
その後、映像出力部２８は、ステップＳ７ｄで、その検索された複数のコンテンツの中から所望のコンテンツをユーザに選択させるためのコンテンツ選択画面を液晶表示パネル１５に表示させる。そして、映像出力部２８は、コンテンツ選択画面からユーザが所望のコンテンツを選択したことを認識すると、ステップＳ７ｅで、左右クロストーク防止部４３から出力される映像信号が映像出力処理部４５に供給されるようにセレクタ４２を切り替えることにより、ステップＳ７ｆで、コンテンツ選択画面で選択されたコンテンツに含まれる立体視用の映像信号を液晶表示パネル１５での映像表示に供させて、ステップＳ７ｂの処理に戻される。
【００６７】
また、上記ステップＳ７ｂでユーザが立体視用眼鏡１２を装着していないと判断された場合（ＮＯ）、映像出力部２８は、ステップＳ７ｇで、倍速変換部４１から出力される映像信号が映像出力処理部４５に供給されるようにセレクタ４２を切り替えることにより、ステップＳ７ｈで、倍速変換処理の施された２次元表示用の映像信号を液晶表示パネル１５での映像表示に供させて、ステップＳ７ｂの処理に戻される。
【００６８】
図７に示す処理動作によれば、ユーザが立体視用眼鏡１２を装着することにより、ＨＤＤ３４に記録されている立体視用の映像信号を含むコンテンツが自動的にユーザに選択可能となるので、ユーザはコンテンツを選択するだけで済み、ユーザの操作を非常に便利にすることができる。
【００６９】
また、図７に示す処理動作において、ユーザが立体視用眼鏡１２を装着したとき、ＨＤＤ３４に記録されている立体視用の映像信号を含むコンテンツのうち、特定のコンテンツが自動選択されるようにしておいても良いものである。また、ユーザが立体視用眼鏡１２を装着したとき、ＨＤＤ３４だけでなく、ネットワーク上のサーバからも立体視用の映像信号を含むコンテンツを検索することができるようにしても良いものである。
【００７０】
さらに、上記した実施の形態では、液晶表示パネル１５によって映像表示を行なうことについて説明したが、これに限らず、立体視用の映像表示ができるものであれば、例えばプラズマ表示パネルやＣＲＴ（cathode ray tube）ディスプレイ等であっても良いことはもちろんである。
【００７１】
また、上記した実施の形態では、立体視映像再生機器としてデジタルテレビジョン放送受信装置１１を例にしたが、これに限るものではなく、例えば光ディスク記録再生機器、ＰＣ（personal computer）、ＳＴＢ（set top box）等のように映像信号を再生することが可能な機器であれば広く適用することができる。
【００７２】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００７３】
１１…デジタルテレビジョン放送受信装置、１２…立体視用眼鏡、１３…キャビネット、１４…支持台、１５…液晶表示パネル、１６…スピーカ、１７…操作部、１７ａ…主電源スイッチ、１８…リモートコントローラ、１９…受光部、２０…基台、２１…着脱検出部、２２…アンテナ、２３…入力端子、２４…選局復調部、２５…ＴＳ分離部、２６…映像デコーダ、２７…映像フレームバッファ、２８…映像出力部、２９…音声バッファ、３０…音声出力部、３１…音声デコーダ、３２…入力端子、３３…制御部、３３ａ…ＣＰＵ、３３ｂ…メモリ部、３４…ＨＤＤ、３４ａ…ハードディスク、３５…ネットワークインターフェース、３６…入出力端子、３７…出力端子、３８…入力端子、３９…３次元２次元変換部、４０…左右映像分離部、４１…倍速変換部、４２…セレクタ、４３…左右クロストーク防止部、４４…選択信号生成部、４５…映像出力処理部、４６…出力端子、４７…出力端子、４８…受信部、４９…解析部。
【図１】
2011097470.tif 000003
【図２】
2011097470.tif 000004
【図３】
2011097470.tif 000005
【図４】
2011097470.tif 000006
【図５】
2011097470.tif 000007
【図６】
2011097470.tif 000008
【図７】
2011097470.tif 000009
【手続補正書】
【提出日】平成23年3月4日(2011.3.4)
【手続補正１】
【補正対象書類名】明細書
【補正対象項目名】０００８
【補正方法】変更
【補正の内容】
【０００８】
この発明に係る立体視映像再生装置は、入力された立体視用の映像信号に立体視映像表示に対応する信号処理を施す第１の処理手段と、入力された立体視用の映像信号を２次元表示用の映像信号に変換して２次元映像表示に対応する信号処理を施す第２の処理手段と、入力された映像信号が立体視用の映像信号であるか、２次元表示用の映像信号であるかを判別する第１の判別手段と、立体視用眼鏡が装着されているか否かを判別する第２の判別手段と、映像信号を出力する出力手段と、入力された映像信号が２次元表示用の映像信号である場合、第１の処理手段または第２の処理手段における信号処理を実行させず、当該入力された２次元表示用の映像信号を出力手段に出力させ、入力された映像信号が立体視用の映像信号である場合であって、立体視用眼鏡が装着されている場合、第１の処理手段で信号処理の施された映像信号を出力手段に出力させ、入力された映像信号が立体視用の映像信号である場合であって、立体視用眼鏡が装着されていない場合、第２の処理手段で信号処理の施された映像信号を出力手段に出力させる制御手段とを備えるようにしたものである。
【手続補正２】
【補正対象書類名】明細書
【補正対象項目名】０００９
【補正方法】変更
【補正の内容】
【０００９】
また、この発明に係る立体視映像再生方法は、入力された立体視用の映像信号に立体視映像表示に対応する信号処理を施す第１の工程と、入力された立体視用の映像信号を２次元表示用の映像信号に変換して２次元映像表示に対応する信号処理を施す第２の工程と、入力された映像信号が立体視用の映像信号であるか、２次元表示用の映像信号であるかを判別する第３の工程と、立体視用眼鏡が装着されているか否かを判別する第４の工程と、入力された映像信号が２次元表示用の映像信号である場合、第１の工程または第２の工程における信号処理を実行せず、当該入力された２次元表示用の映像信号を出力する第５の工程と、入力された映像信号が立体視用の映像信号である場合であって、立体視用眼鏡が装着されている場合、第１の工程で信号処理の施された映像信号を出力する第６の工程と、入力された映像信号が立体視用の映像信号である場合であって、立体視用眼鏡が装着されていない場合、第２の工程で信号処理の施された映像信号を出力する第７の工程とを有するようにしたものである。
【手続補正３】
【補正対象書類名】明細書
【補正対象項目名】００１０
【補正方法】変更
【補正の内容】
【００１０】
さらに、この発明に係る立体視映像再生システムは、装着されているか否かを検出するための着脱検出手段を備えた立体視用眼鏡と；入力された立体視用の映像信号に立体視映像表示に対応する信号処理を施す第１の処理手段と、入力された立体視用の映像信号を２次元表示用の映像信号に変換して２次元映像表示に対応する信号処理を施す第２の処理手段と、入力された映像信号が立体視用の映像信号であるか、２次元表示用の映像信号であるかを判別する第１の判別手段と、立体視用眼鏡が装着されているか否かを判別する第２の判別手段と、映像信号を出力する出力手段と、入力された映像信号が２次元表示用の映像信号である場合、第１の処理手段または第２の処理手段における信号処理を実行させず、当該入力された２次元表示用の映像信号を出力手段に出力させ、入力された映像信号が立体視用の映像信号である場合であって、立体視用眼鏡が装着されている場合、第１の処理手段で信号処理の施された映像信号を出力手段に出力させ、入力された映像信号が立体視用の映像信号である場合であって、立体視用眼鏡が装着されていない場合、第２の処理手段で信号処理の施された映像信号を出力手段に出力させる制御手段とを備えた立体視映像再生機器とを具備するようにしたものである。
【手続補正４】
【補正対象書類名】明細書
【補正対象項目名】００１１
【補正方法】変更
【補正の内容】
【００１１】
上記した発明によれば、入力された映像信号が２次元表示用の映像信号である場合、当該入力された２次元表示用の映像信号を出力し、入力された映像信号が立体視用の映像信号であって、立体視用眼鏡が装着されている場合、当該入力された映像信号に立体視映像表示に対応する信号処理の施された映像信号を出力し、入力された映像信号が立体視用の映像信号であって、立体視用眼鏡が装着されていない場合、当該入力された映像信号を２次元表示用の映像信号に変換して２次元映像表示に対応する信号処理の施された映像信号を出力するようにしたので、表示映像の品質を低下させることがなく、しかも、ユーザにとっての取り扱いを便利にして実用化に好適するものとなる。
【手続補正５】
【補正対象書類名】特許請求の範囲
【補正対象項目名】全文
【補正方法】変更
【補正の内容】
【特許請求の範囲】
【請求項１】
入力された立体視用の映像信号に立体視映像表示に対応する信号処理を施す第１の処理手段と、
入力された立体視用の映像信号を２次元表示用の映像信号に変換して２次元映像表示に対応する信号処理を施す第２の処理手段と、
入力された映像信号が立体視用の映像信号であるか、２次元表示用の映像信号であるかを判別する第１の判別手段と、
立体視用眼鏡が装着されているか否かを判別する第２の判別手段と、
映像信号を出力する出力手段と、
入力された映像信号が２次元表示用の映像信号である場合、前記第１の処理手段または前記第２の処理手段における信号処理を実行させず、当該入力された２次元表示用の映像信号を前記出力手段に出力させ、入力された映像信号が立体視用の映像信号である場合であって、前記立体視用眼鏡が装着されている場合、前記第１の処理手段で信号処理の施された映像信号を前記出力手段に出力させ、入力された映像信号が立体視用の映像信号である場合であって、前記立体視用眼鏡が装着されていない場合、前記第２の処理手段で信号処理の施された映像信号を前記出力手段に出力させる制御手段とを具備することを特徴とする立体視映像再生装置。
【請求項２】
前記第１の判別手段は、前記出力手段からの映像信号の出力中にも判別処理を行ない、前記制御手段は、前記出力手段に映像信号を出力させている状態で、前記第１の判別手段及び前記第２の判別手段の判別結果に基づいて前記出力手段に出力させる信号の切り替えを行なうことを特徴とする請求項１記載の立体視映像再生装置。
【請求項３】
前記制御手段は、前記第２の判別手段から前記立体視用眼鏡が装着された旨を示す検出信号を受信したとき、予め記録された複数のコンテンツの中から所定のコンテンツを検索し、その検索されたコンテンツに含まれる立体視用の映像信号を前記第１の処理手段に入力して信号処理を施した映像信号を前記出力手段に出力させることを特徴とする請求項１記載の立体視映像再生装置。
【請求項４】
前記制御手段は、ネットワークを介して所定のコンテンツを検索することを特徴とする請求項３記載の立体視映像再生装置。
【請求項５】
前記第１の処理手段は、入力された立体視用の映像信号から相互に視差を有する第１の映像信号及び第２の映像信号を生成し、前記第１の映像信号と第２の映像信号との間に黒映像信号を挿入することを特徴とする請求項１記載の立体視映像再生装置。
【請求項６】
前記第２の処理手段は、入力された立体視用の映像信号を２次元表示用の映像信号に変換し、その２次元表示用の映像信号に倍速変換処理を施すことを特徴とする請求項１記載の立体視映像再生装置。
【請求項７】
入力された立体視用の映像信号に立体視映像表示に対応する信号処理を施す第１の工程と、
入力された立体視用の映像信号を２次元表示用の映像信号に変換して２次元映像表示に対応する信号処理を施す第２の工程と、
入力された映像信号が立体視用の映像信号であるか、２次元表示用の映像信号であるかを判別する第３の工程と、
立体視用眼鏡が装着されているか否かを判別する第４の工程と、
入力された映像信号が２次元表示用の映像信号である場合、前記第１の工程または前記第２の工程における信号処理を実行せず、当該入力された２次元表示用の映像信号を出力する第５の工程と、
入力された映像信号が立体視用の映像信号である場合であって、前記立体視用眼鏡が装着されている場合、前記第１の工程で信号処理の施された映像信号を出力する第６の工程と、
入力された映像信号が立体視用の映像信号である場合であって、前記立体視用眼鏡が装着されていない場合、前記第２の工程で信号処理の施された映像信号を出力する第７の工程とを有することを特徴とする立体視映像再生方法。
【請求項８】
前記第４の工程により前記立体視用眼鏡が装着されていると判別された場合、予め記録された複数のコンテンツの中から所定のコンテンツを検索する第８の工程と、
検索されたコンテンツに含まれる立体視用の映像信号に前記立体視映像表示に対応する信号処理を施して出力する第９の工程とを有することを特徴とする請求項７記載の立体視映像再生方法。
【請求項９】
装着されているか否かを検出するための着脱検出手段を備えた立体視用眼鏡と、
入力された立体視用の映像信号に立体視映像表示に対応する信号処理を施す第１の処理手段と、入力された立体視用の映像信号を２次元表示用の映像信号に変換して２次元映像表示に対応する信号処理を施す第２の処理手段と、入力された映像信号が立体視用の映像信号であるか、２次元表示用の映像信号であるかを判別する第１の判別手段と、立体視用眼鏡が装着されているか否かを判別する第２の判別手段と、映像信号を出力する出力手段と、入力された映像信号が２次元表示用の映像信号である場合、前記第１の処理手段または前記第２の処理手段における信号処理を実行させず、当該入力された２次元表示用の映像信号を前記出力手段に出力させ、入力された映像信号が立体視用の映像信号である場合であって、前記立体視用眼鏡が装着されている場合、前記第１の処理手段で信号処理の施された映像信号を前記出力手段に出力させ、入力された映像信号が立体視用の映像信号である場合であって、前記立体視用眼鏡が装着されていない場合、前記第２の処理手段で信号処理の施された映像信号を前記出力手段に出力させる制御手段とを備えた立体視映像再生機器とを具備することを特徴とする立体視映像再生システム。